【手続補正書】
【提出日】平成23年8月1日(2011.8.1)
【手続補正１】
【補正対象書類名】特許請求の範囲
【補正対象項目名】全文
【補正方法】変更
【補正の内容】
【特許請求の範囲】
【請求項１】
ベベル摩擦リングギア（１）であって、少なくとも１つの鍛造円錐（２、３）を特徴とするギア。
【請求項２】
請求項１に記載のべベル摩擦リング・ギア（１）であって、全ての円錐（２、３）が、鍛造組立体を有する、ことを特徴とするギア。
【請求項３】
ベベル摩擦リングギア（１）、より好ましくは、また、摩擦リング（４）経由で互いに相互作用し、かつ、回転モーメントに依存して圧迫力を発生させるための圧迫装置（５０）経由で共に締付けられ、かつ、軸受キャリア（９２、９３）内に保持される軸受（８８、８９、９０、９１）の両側に取り付けられる、少なくとも２つの円錐（２，３）を備える、請求項１または２に記載の、ベベル摩擦リングギア（１）であって、両方の軸受キャリア（９２、９３）が、１つの部材に設計される、ことを特徴とするギア。
【請求項４】
ベベル摩擦リングギア（１）であって、摩擦リング（４）が、前記摩擦リング（４）用の調整器（調整ブリッジ１０）が自由に軸方向に変位可能な方法でその上に配置される案内を有する調整装置（９）経由で変位されることができ、前記調整装置（９）が、前記案内と係合するウォームギア駆動装置（１７）を備える、ことを特徴とするギア。
【請求項５】
請求項４に記載のべベル摩擦リングギア（１）であって、前記ウォームギア駆動装置（１７）が、連結棒（１９）がその上に配置される偏心円（１８）と係合する、ことを特徴とするギア。
【請求項６】
請求項５に記載のべベル摩擦リング・ギア（１）であって、前記連結棒（１９）が、
前記調整器の前記案内（調整ブリッジ案内１３）と係合する、ことを特徴とするギア。
【請求項７】
請求項５または６に記載のべベル摩擦リングギア（１）であって、前記連結棒（９）が、
ばね装填される、ことを特徴とするギア。
【請求項８】
請求項１〜７のいずれか１つに記載のべベル摩擦リング・ギア（１）であって、前記
ウォームギア駆動装置（１７）が、摩擦によって保持される設計である、ことを特徴と
するギア。
【請求項９】
ベベル摩擦リングギア（１）、より好ましくは、また、確動接続部（４３）経由で
駆動装置（４４）と作動的に接続される駆動円錐（２）を備えた、請求項１〜８のいずれか
１つに記載の、ベベル摩擦リングギア（１）であって、前記作動的接続部が、中心ねじ
経由で固定される確動接続部を備える、ことを特徴とするギア。
【請求項１０】
ベベル摩擦リングギア（１）、より好ましくは、また、確動接続部（４３）経由で
駆動装置（４４）と作動的に接続される駆動円錐（２）を備えた、請求項１〜９のいずれ
か１つに記載の、ベベル摩擦リングギア（１）であって、前記作動的接続部が、引張ねじ
（４２）経由で固定される確動接続部を備える、ことを特徴とするギア。
【請求項１１】
請求項１０に記載のべベル摩擦リングギア（１）であって、前記引張ねじ（４２）が
、前記ねじ直径より大きいクランプ長を有する、ことを特徴とするギア。
【請求項１２】
請求項１１に記載のべベル摩擦リングギア（１）であって、前記引張ねじ（４２）が
、前記ねじ直径より実質的に大きいクランプ長を有する、ことを特徴とするギア。
【請求項１３】
請求項１０ないし１２のいずれか１つに記載のベベル摩擦リングギア（１）であって、
前記引張ねじ（４２）が、前記ねじ直径の寸法の少なくとも二倍のクランプ長を有する、
ことを特徴とするギア。
【請求項１４】
請求項１０ないし１３のいずれか１つに記載のべベル摩擦リングギア（１）であって
、前記引張ねじ（４２）が、前記ベベル摩擦リングギア（１）、より好ましくはその軸受
レース、の設定長より大きい引張長を有する、ことを特徴とするギア。
【請求項１５】
ベベル摩擦リングギア（１）、より好ましくは、また、トラクション流体のための
、および、潤滑流体のための別個の流体空間（３９、４１）、同じく、一方（３１）が、
前記駆動円錐（２）の前記円錐先端（７１）の側部上に、およびもう一方（３０）が前記
駆動円錐（２）の前記円錐下部（７３）の側部上に配置される、２つのギア側部（３０，
３１）を備え、前記潤滑流体のための前記流体空間（３９）が、少なくとも２つの部分空
問（３７，３８）を備え、および第１の部分空間（３７）が前記一方のギア側部（３０）上に配置され、および第２の部分空間が前記もう一方のギア側部上に配置される、請求項１〜１４のいずれか１つに記載の、ベべル摩擦リングギア（１）であって、前記２つの部分空間（３７、３８）を接続し、かつ前記円錐（２、３）の１つ（２）を貫通する潤滑剤通路（４０）を特徴とするギア。
【請求項１６】
請求項１５に記載のべベル摩擦リングギア（１）であって、前記潤滑剤通路（４０）が、
互いに離れる直径を有する回転通路領域（６４）への２つの円錐入口開口部を備える、こ
とを特徴とするギア。
【請求項１７】
請求項１５または１６に記載のべベル摩擦リングギア（１）であって、前記円錐（
２）の内部（６３）の前記潤滑剤通路（４０）の壁が、前記円錐入口開口部上の前記壁よ
り前記円錐の軸線（７）から半径方向により遠くはずされる、ことを特徴とするギア。
【請求項１８】
請求項１７に記載のべベル摩擦リングギア（１）であって、前記潤滑剤通路（４０）が、
前記円錐（２）内で広がる、ことを特徴とするギア。
【請求項１９】
請求項１５ないし１８のいずれか１つに記載のべベル摩擦リングギア（１）であっ
て、前記潤滑剤通路（４０）が、ねじ（４２）を貫通する、ことを特徴とするギア。
【請求項２０】
ベベル摩擦リングギア（１）、より好ましくは、また、摩擦リング経由で互いに相
互作用し、かつ、回転モーメントに依存して圧迫力を発生させるための圧迫装置（５０）
経由で共に締付けられる、少なくとも２つの円錐（２，３）を備え、前記圧迫装置（５０
）が、互いに対して変位可能な２つの本体（５４，５５）の対応する回転本体レース（５
２，５３）内に配置される回転本体（５１）を備える、請求項１〜１９のいずれか１つに
記載の、ベベル摩擦リングギア（１）であって、前記回転本体レース（５２，５３）の１
つ（５２）が、前記円錐（２、３）の１つ（３）内に形成される、ことを特徴とするギア。
【請求項２１】
ベベル摩擦リングギア（１）、より好ましくは、また、摩擦リング（４）経由で互いに
相互作用する少なくとも２つの円錐（２，３）を備え、前記円錐（２、３）の少なく
とも１つ（２）が、別個の軸受けピン（６０）を備える、請求項１〜２０のいずれか１つ
に記載の、ベベル摩擦リングギア（１）であって、前記別個の軸受けピン（６０）が、
２つに分けられる座部（６１、６２）経由で前記円錐（２）と接続される、ことを特徴とす
るギア。
【請求項２２】
請求項２１に記載のべベル摩擦リングギア（１）であって、両方の部分座部（６１
、６２）が、回転対称形の座面を有する、ことを特徴とするギア。
【請求項２３】
請求項２２に記載のベベル摩擦リングギア（１）であって、両方の部分座部（６１
、６２）が、異なる軸の高さで配置される、ことを特徴とするギア。
【請求項２４】
請求項２３記載のべベル摩擦リングギア（１）であって、第１部分座部（６１）
が前記円錐（２）に対して軸方向に外側に配置され、かつ更に軸方向に内側に配置される
前記第２部分座部（６２）より半径方向に大きい、ことを特徴とするギア。
【請求項２５】
請求項２１ないし２４のいずれか１つに記載のべベル摩擦リングギア（１）であっ
て、前記円錐（２，３）および前記別個の軸受けピン（６０，８１）がプレスばめ経由で
互いに接続される、ことを特徴とするギア。
【請求項２６】
請求項２１ないし２５のいずれか１つに記載のベベル摩擦リングギア（１）であっ
て、前記円錐（２，３）および前記別個の軸受けピン（６０，８１）が共に溶接される、
ことを特徴とするギア。
【請求項２７】
べベル摩擦リングギア（１）、より好ましくは、また、摩擦リング（４）経由で互いに
相互作用し、かつ、回転モーメントに依存して圧迫力を発生させるための圧迫装置（
５０）経由で共に締付けられる、少なくとも２つの円錐（２，３）を備え、前記圧迫装置
（５０）が、互いに対して変位可能な２つの本体（５４，５５）を備える、請求項１〜２６のいずれか１つに記載の、ベベル摩擦リングギア（１）であって、前記変位可能な本体（５４、５５）のうちの少なくとも１つが、ニードル軸受経由で前記円錐（２、３）の１つ（３）上に取り付けられる、ことを特徴とするギア。
【請求項２８】
請求項２７に記載のべベル摩擦リングギア（１）であって、前記ニードル軸受が、
分割された設計である、ことを特徴とするギア。
【請求項２９】
入力側に配置されるクラッチ（３３）および／または出力側に配置されるクラッチ
を備えたべベル摩擦リングギア（１）、より好ましくは、また、請求項１〜２８のいずれ
か１つに記載の、ベベル摩擦リングギア（１）であって、前記クラッチ（３３）が、液圧
で起動する、ことを特徴とするギア。
【請求項３０】
ベベル摩擦リングギア（１）、より好ましくは、また、摩擦リング（４）経由で互いに
相互作用し、かつ、回転モーメントに依存して圧迫力を発生させるための圧迫装置（
５０）経由で共に締付けられる、少なくとも２つの円錐（２，３）を備え、前記圧迫装置
（５０）が、互いに対して変位可能な２つの本体（５４，５５）、同じくばね素子（５６）を備える、
請求項１〜２９のいずれか１つに記載の、ベベル摩擦リングギア（１）であって、
前記ばね素子（５６）が、前記変位可能な本体（５４、５５）を取りはずすことなく
取りはずされることができる、ことを特徴とするギア。
【請求項３１】
ベベル摩擦リングギア（１）を製造する方法であって、前記円錐（２、３）のうち
の少なくとも１つが、少なくとも１つの鍛造組立体を備える、ことを特徴とする方法。
【請求項３２】
請求項３１に記載の方法であって、前記円錐表面（７０）を形成する前記円錐（２）の前記組立体が、鍛造される、ことを特徴とする方法。
【請求項３３】
ベベル摩擦リングギア（１）を組み立てる方法であって、初めに、全ての円錐（２、３）がそれらの軸受キャリア（９２、９３）内の両側に取り付けられ、および・それらのばね素子（５６）がその後に取り付けられる、ことを特徴とする方法。
【請求項３４】
ベベル摩擦リングギア（１）を組み立てる方法であって、互いに対して変位可能な
圧迫装置（５０）の本体（５４、５５）が初めに、およびそれらのばね素子（５６）がその後に、取り付けられる、ことを特徴とする方法。
【請求項３５】
ベベル摩擦リングギア（１）を組み立てる方法であって、別個の軸受けピン（６０、８１）および円錐（２、３）が、共に押圧される、ことを特徴とする方法。
【請求項３６】
請求項３５に記載の方法であって、前記共に押圧された後の前記別個の軸受けピン
（６０、８１）および前記円錐（２、３）が、共に溶接される、ことを特徴とする方法。